(57)【要約】【課題】情報携帯端末装置による車両情報の表示において、従来に比して一段と車両に適した表示を実行できるようにする。【解決手段】ユーザにより携帯される情報携帯端末装置２により車両情報を表示する車両情報表示システム１において、車両情報出力装置３と情報携帯端末装置２とを備え、車両情報出力装置３は、車両１０から車両情報及びイルミネーション情報を取得し、無線通信によるデータ通信により送出し、情報携帯端末装置２は、この車両情報及びイルミネーション情報を受信して車両情報を表示すると共に、イルミネーション情報により車両情報の表示を切り替える。【選択図】図１
2020203552.tif 000002
【特許請求の範囲】
【請求項１】
ユーザにより携帯される情報携帯端末装置により車両情報を表示する車両情報表示システムにおいて、
車両情報出力装置と前記情報携帯端末装置とを備え、
前記車両情報出力装置は、
車両から前記車両情報及びイルミネーション情報を取得し、無線通信によるデータ通信により前記車両情報及び前記イルミネーション情報を送出し、
前記情報携帯端末装置は、
前記車両情報出力装置から送出される前記車両情報及び前記イルミネーション情報を受信して前記車両情報を表示すると共に、前記イルミネーション情報により前記車両情報の表示を切り替える
車両情報表示システム。
【請求項２】
前記車両情報の表示の切替えが、コントラストの切り替えである
請求項１に記載の車両情報表示システム。
【請求項３】
前記車両情報の表示の切替えが、表示色の切り替えである
請求項１に記載の車両情報表示システム。
【請求項４】
前記車両情報の表示の切替えが、アナログ値表示による車両情報の表示とデジタル値表示による車両情報の表示との切り替えである
請求項１に記載の車両情報表示システム。
【請求項５】
ユーザにより携帯される情報携帯端末装置により車両情報を表示する車両情報表示装置において、
無線通信によるデータ通信により、車両に設置された車両情報出力装置から前記車両情報及びイルミネーション情報を取得し、
前記車両情報を表示すると共に、前記イルミネーション情報により前記車両情報の表示を切り替える
車両情報表示装置。
【請求項６】
ユーザにより携帯される情報携帯端末装置で表示に供する車両情報を出力する車両情報出力装置において、
車両から前記車両情報及びイルミネーション情報を取得し、
無線通信によるデータ通信により前記車両情報及び前記イルミネーション情報を前記情報携帯端末装置に送出する
車両情報出力装置。
【請求項７】
ユーザにより携帯される情報携帯端末装置により車両情報を表示する車両情報の表示方法において、
車両に設けた車両情報出力装置において、車両から前記車両情報及びイルミネーション情報を取得し、無線通信によるデータ通信により前記車両情報及び前記イルミネーション情報を送出し、
前記情報携帯端末装置において、前記車両情報出力装置から送出される前記車両情報及び前記イルミネーション情報を受信して前記車両情報を表示すると共に、前記イルミネーション情報により前記車両情報の表示を切り替える
車両情報の表示方法。
【請求項８】
ユーザにより携帯される情報携帯端末装置における演算処理回路の実行により所定の処理手順を実行し、前記情報携帯端末装置で車両情報を表示する車両情報表示プログラムにおいて、
前記処理手順は、
無線通信によるデータ通信により、車両に設置された車両情報出力装置から前記車両情報及びイルミネーション情報を取得する情報取得ステップと、
前記車両情報を表示する車両情報表示ステップと、
前記イルミネーション情報により前記車両情報の表示を切り替える表示切替ステップとを備える
車両情報表示プログラム。
【発明の詳細な説明】
【技術分野】
【０００１】
本発明は、車両情報表示システム、車両情報表示装置、車両情報出力装置、車両情報の表示方法、車両情報表示プログラムに関し、例えばドライバーの携帯するスマートフォン等の情報携帯端末装置を車両情報表示装置として機能させて車両情報を表示する構成に適用することができる。
【背景技術】
【０００２】
従来、車両では、走行速度、エンジン回転速度等の車両情報を表示し、ドライバーによるライトの操作に応動してこの表示の明るさを切り替えている。
【０００３】
また近年、ドライバーの携帯するスマートフォン、タブレット等の情報携帯端末装置により車両に関する情報を表示するアプリケーションプログラムの提供が開始されている。
このようなアプリケーションプログラムには、情報携帯端末装置単体で取得される情報により情報提供する構成と、車両から取得した情報を参考にして各種の情報を提供する構成とが提供されている。
具体的に、前者としては、例えばＧＰＳ（Ｇｌｏｂａｌ  Ｐｏｓｉｔｉｏｎｉｎｇ  Ｓｙｓｔｅｍ）により取得される位置情報、この位置情報に基づく速度情報に基いて、車両の誘導等に関する情報を提供するアプリケーションプログラム、カメラ機能により取得される画像情報と位置情報とを使用したドライブレコーダーアプリ、メンテナンス情報等により車両を管理するアプリケーションプログラム等が提供されている。
これに対して後者としては、車両から走行速度、エンジンの回転速度等の車両情報を取得して表示するアプリケーションプログラムが提供されている。
【０００４】
特許文献１には、このような情報携帯端末装置に関して、センサにより検出される照度に応じてアプリケーションプログラムの動作を制御する構成が開示されている。
【先行技術文献】
【特許文献】
【０００５】
【特許文献１】特開２０１４−１７８７４号公報
【発明の概要】
【発明が解決しようとする課題】
【０００６】
ところでこの種の情報携帯端末装置による車両情報の表示において、従来に比して一段と車両に適した表示を実行することができれば、一段と車両情報提供の表現力を向上し、ドライバーに感動を与えることができると考えられる。
【０００７】
本発明は以上の点を考慮してなされたものであり、情報携帯端末装置による車両情報の表示において、従来に比して一段と車両に適した表示を実行できるようにする。
【課題を解決するための手段】
【０００８】
係る課題を解決するため、請求項１の発明は、
ユーザにより携帯される情報携帯端末装置により車両情報を表示する車両情報表示システムにおいて、
車両情報出力装置と前記情報携帯端末装置とを備え、
前記車両情報出力装置は、
車両から前記車両情報及びイルミネーション情報を取得し、無線通信によるデータ通信により前記車両情報及び前記イルミネーション情報を送出し、
前記情報携帯端末装置は、
前記車両情報出力装置から送出される前記車両情報及び前記イルミネーション情報を受信して前記車両情報を表示すると共に、前記イルミネーション情報により前記車両情報の表示を切り替える。
【０００９】
請求項１の構成によれば、車両のインストルメントに設けられている計器類と連動するように情報携帯端末装置における車両情報の表示を切り替えることができ、これにより情報携帯端末装置による車両情報の表示において、従来に比して一段と車両に適した表示を実行することができる。
【００１０】
請求項２の発明は、請求項１の構成において、
前記車両情報の表示の切替えが、コントラストの切り替えである。
【００１１】
請求項２の構成によれば、夜間等においてコントラストを増大させることにより、夜間等における視認性の劣化を防止することができる。
【００１２】
請求項３の発明は、請求項１の構成において、
前記車両情報の表示の切替えが、表示色の切り替えである。
【００１３】
請求項３の構成によれば、夜間等において表示色を切り替えることにより、夜間等における視認性の劣化を防止することができる。
【００１４】
請求項４の発明は、請求項１の構成において、
前記車両情報の表示の切替えが、アナログ値表示による車両情報の表示とデジタル値表示による車両情報の表示との切り替えである。
【００１５】
請求項４の構成によれば、夜間等においてアナログ値表示による車両情報の表示をデジタル値表示による車両情報の表示に切り替えることにより、夜間等における視認性の劣化を防止することができる。
【００１６】
請求項５の発明は、
ユーザにより携帯される情報携帯端末装置により車両情報を表示する車両情報表示装置において、
無線通信によるデータ通信により、車両に設置された車両情報出力装置から前記車両情報及びイルミネーション情報を取得し、
前記車両情報を表示すると共に、前記イルミネーション情報により前記車両情報の表示を切り替える。
【００１７】
請求項５の構成によれば、車両のインストルメントに設けられている計器類と連動するように情報携帯端末装置における車両情報の表示を切り替えることができ、これにより情報携帯端末装置による車両情報の表示において、従来に比して一段と車両に適した表示を実行することができる。
【００１８】
請求項６の発明は、
ユーザにより携帯される情報携帯端末装置で表示に供する車両情報を出力する車両情報出力装置において、
車両から前記車両情報及びイルミネーション情報を取得し、
無線通信によるデータ通信により前記車両情報及び前記イルミネーション情報を前記情報携帯端末装置に送出する。
【００１９】
請求項６の構成によれば、情報携帯端末装置における車両情報の表示を、例えば車両のインストルメントパネルに設けられている計器類と連動可能とすることができ、これにより情報携帯端末装置による車両情報の表示において、従来に比して一段と車両に適した表示を実行することができる。
【００２０】
請求項７の発明は、
ユーザにより携帯される情報携帯端末装置により車両情報を表示する車両情報の表示方法において、
車両に設けた車両情報出力装置において、車両から前記車両情報及びイルミネーション情報を取得し、無線通信によるデータ通信により前記車両情報及び前記イルミネーション情報を送出し、
前記情報携帯端末装置において、前記車両情報出力装置から送出される前記車両情報及び前記イルミネーション情報を受信して前記車両情報を表示すると共に、前記イルミネーション情報により前記車両情報の表示を切り替える。
【００２１】
請求項７の構成によれば、車両のインストルメントパネルに設けられている計器類と連動するように情報携帯端末装置における車両情報の表示を切り替えることができ、これにより情報携帯端末装置による車両情報の表示において、従来に比して一段と車両に適した表示を実行することができる。
【００２２】
請求項８の発明は、
ユーザにより携帯される情報携帯端末装置における演算処理回路の実行により所定の処理手順を実行し、前記情報携帯端末装置で車両情報を表示する車両情報表示プログラムにおいて、
前記処理手順は、
無線通信によるデータ通信により、車両に設置された車両情報出力装置から前記車両情報及びイルミネーション情報を取得する情報取得ステップと、
前記車両情報を表示する車両情報表示ステップと、
前記イルミネーション情報により前記車両情報の表示を切り替える表示切替ステップとを備える。
【００２３】
請求項８の構成によれば、車両のインストルメントパネルに設けられている計器類と連動するように情報携帯端末装置における車両情報の表示を切り替えることができ、これにより情報携帯端末装置による車両情報の表示において、従来に比して一段と車両に適した表示を実行することができる。
【発明の効果】
【００２４】
本発明によれば、情報携帯端末装置による車両情報の表示において、従来に比して一段と車両に適した表示を実行することができる。
【図面の簡単な説明】
【００２５】
【図１】本発明の第１実施形態に係る車両情報表示システムを示す図である。
【図２】車両情報のアナログ値表示の例を示す平面図である。
【図３】車両情報のデジタル値表示の例を示す平面図である。
【図４】情報携帯端末装置における処理手順を示すフローチャートである。
【図５】図２との対比によりイルミネーション情報による表示切替を実行しないとした場合の処理手順を示すフローチャートである。
【発明を実施するための形態】
【００２６】
〔第１実施形態〕
図１は、本発明の第１実施形態に係る車両情報表示システム１を示すブロック図である。
この車両情報表示システム１は、ドライバー等のユーザが携帯するスマートフォン、タブレット等の情報携帯端末装置２により車両情報を表示する。
この車両情報表示システム１では、車両１０に既に設けられているセンサによっては、計測困難な車両情報についても、対応するセンサを車両１０に配置して、このセンサにより車両情報を取得して表示可能に構成される。この図１において、センサ群１０Ａは、このようにして後発的に車両１０に設けられた複数のセンサである。なおこのセンサは、例えば油圧計測用センサ、油温計測用センサ等である。
【００２７】
車両情報表示システム１は、情報携帯端末装置２、制御コントローラ３を備える。
制御コントローラ３は、情報携帯端末装置２で表示に供する車両情報を出力する車両情報出力装置である。
制御コントローラ３は、車両情報取得部４、データ通信部５、制御部６を備える。
【００２８】
ここで車両情報取得部４は、表示に供する車両情報を取得する構成であり、制御部６の制御により、センサ群１０Ａに係る各センサを駆動して、各センサによる検出結果を取得し、これにより車両情報を取得する。また制御部６の制御により、車両診断コネクタ１０Ｂを介して取得する。
ここで車両診断コネクタ１０Ｂは、故障診断等に利用可能な各種のデータを取得するために車両１０に設けられているコネクタである。これにより車両情報取得部４は、車両１０に設けられたコントローラとのデータ通信により車両情報を取得する。
また車両情報取得部４は、併せてイルミネーション情報を車両１０から取得する。ここでイルミネーション情報は、車両１０のライトの情報であり、車両１０の夜間照明（ヘッドライト、スモールランプ、フォグランプ）の点灯を示す情報である。
【００２９】
データ通信部５は、近距離無線通信により、この車両１０に持ち込まれた情報携帯端末装置２とデータ通信する構成であり、この実施形態では、この無線通信によるデータ通信にＢｌｕｅｔｏｏｔｈ（登録商標）通信によるデータ通信が適用されるものの、この種の近距離無線通信手法を広く適用することができる。
データ通信部５は、このデータ通信により車両情報取得部４で取得した車両情報、イルミネーション情報を送出する。
【００３０】
制御部６は、演算処理回路によりこの制御コントローラ３に係るプログラムを実行し、制御コントローラ３の各部を制御する。
【００３１】
情報携帯端末装置２は、車両１０に係る車両情報表示プログラムの実行により、制御コントローラ３から送出される車両情報、イルミネーション情報を取得し、車両情報を表示すると共に、この車両情報の表示をイルミネーション情報により切り替える。
これによりこの車両情報表示システム１では、例えば夜間、トンネル、降雨等によりドライバーがヘッドライトを点灯した場合、車両１０のインストルメントパネルに設けられている計器類と連動するように、車両情報の表示を切り替えることができる。これにより情報携帯端末装置による車両情報の表示において、従来に比して一段と車両に適した表示を実行することができる。
【００３２】
具体的に、情報携帯端末装置２は、データ通信部７、表示部８、制御部９を備える。
ここでデータ通信部７は、制御コントローラ３のデータ通信部５に対応する構成であり、データ通信部５との無線通信によるデータ通信により制御コントローラ３から送出される車両情報、イルミネーション情報を取得する。
【００３３】
表示部８は、情報携帯端末装置２に係る各種の画像情報を表示し、例えば液晶表示パネル、有機ＥＬパネル等により構成される。表示部８は、この実施形態においては、各種のメニューを表示し、さらには車両情報を表示する。
【００３４】
制御部９は、演算処理回路を備え、この演算処理回路におけるプログラムの実行により所定の処理手順を実行してこの情報携帯端末装置２の各部を制御する。この制御部９による制御において、ユーザが表示の自動調光を指示すると、制御部９は、この情報携帯端末装置２に設けられたセンサによる外光の光量検出結果に基いて、表示部８の明るさを制御し、これによりいわゆる自動調光機能により表示部８の明るさを制御する。なおこの自動調光に代えて一定の明るさによる表示をユーザが指示すると、この指示による明るさにより表示するように表示部８の表示を制御する。
【００３５】
情報携帯端末装置２は、この制御部９の処理に供するアプリケーションプログラムとして、車両情報の表示に係る車両情報表示プログラムが実装されており、この車両情報表示プログラムの実行によりデータ通信部７で取得した車両情報の表示に係る一連の処理を実行する。
【００３６】
すなわちこの車両情報表示プログラムにおいて、制御部９は、ドライバーによる操作により、事前に各種の設定を受け付け、この受け付けた設定により車両情報を表示する。
ここでこの設定は、表示する車両情報、車両情報の表示形態、車両情報の警告の有無、この警告に供する警告開始のワーニング値、イルミネーション情報による表示切替等の設定である。
【００３７】
ここでこの実施形態では、車両情報の表示形態として、アナログ値表示、デジタル値表示を選択できるように構成される。ここでアナログ値表示は、指針の回動等により車両情報の計測値をアナログ値により表示する表示形態である。またデジタル値表示は、計測値を数字により表示する表示形態である。
図２は、このアナログ値表示の一例を示す平面図であり、指針、文字盤を表示して、車両情報の計測値に応じて指針の回動により指針により指し示す位置が設定される。
また図３は、デジタル値表示の一例を示す平面図であり、この図３の例では車速、エンジン回転速度等の車両情報が数値により表示される。
【００３８】
制御部９は、このようにして設定された車両情報をデータ通信部７により取得し、ユーザにより設定された表示形態により表示部８で表示する。またユーザが車両情報の警告を指示している場合、この警告の指示に係る車両情報の計測値を監視し、この計測値がワーニング値を超えると、ドライバーに警告を通知する。ここでこの警告の通知は、表示部８における表示色の切り替え、警告音の出力等である。
これにより車両情報表示システム１では、車両１０のインストルメントに設けられている計器類で表示される車両情報、この計器類では表示されない車両情報を所望する形態で表示し、さらには必要に応じて警告を通知し、車両１０の運転操作の楽しさを一段と向上することができる。
【００３９】
さらにこのように車両情報を表示して、ドライバーによりイルミネーション情報による表示切替が設定されている場合、制御部９は、データ通信部７によるイルミネーション情報の入力を監視し、イルミネーション情報の入力によりライトの点灯が通知されると、表示部８の表示を切り替える。
【００４０】
ここでこのイルミネーション情報による表示の切替えは、種々に設定することができる。車両１０では、ドライバーによるライトの点灯操作に応動して、インストルメントに設けられている計器類の明るさを切り替え、夜間等における視認性の低下を防止している。具体的に、車両１０において、例えば図２に示すようなアナログ値表示では、計器類のバックライトの明るさを切り替えることにより、夜間、指針、文字盤の明るさを明るくし、これにより計器類の表示に係るコントラストの増大により視認性の低下を防止している。また図３に示すようなデジタル値表示では、バックライトの明るさの制御等により、同様にコントラストを増大して視認性の低下を防止している。
これにより車両１０におけるコントラストの増大に対応するように、イルミネーション情報が入力されると表示部８における車両情報の表示のコントラストを増大させ、これにより車両情報の表示を切り替えるようにしてもよい。なおこの場合、表示部８で表示する画像データの階調を変化させて、例えばハイライトを明るくしてコントラストを増大させてもよく、液晶表示パネルにおいては、バックライトの明るさの制御によりコントラストを増大させてもよく、種々の手法を適用することができる。
【００４１】
またこれに代えて、さらにはこれに加えて、表示部８における表示色の切り替えにより、車両情報の表示を切り替えるようにしてもよい。
具体的に、図２に示すアナログ値表示においては、例えば背景を黒色により表示し、文字盤及び指針を白色により表示するようにして、イルミネーション情報が入力されると、文字盤及び指針の表示を赤色等に切り替えることにより、夜間等における視認性の劣化を防止することができる。
また図３におけるデジタル値表示では、同様にして、数値の表示色を切り替えることにより、夜間等における視認性の劣化を防止することができる。
【００４２】
また図２に示すようなアナログ値表示では、背景を黒色とし、文字盤及び指針を白色とした表示を、背景を白色、灰色等とし、文字盤及び指針を赤色、黒色等とした表示に切替えるようにしてもよい。
また図３に示すようなデジタル値表示では、同様に、背景を黒色とし、数字、文字を白色とした表示を、背景を白色、灰色等とし、数字、文字を赤色、黒色等とした表示に切替えるようにしてもよい。
【００４３】
またさらにこれに代えて、さらにはこれらに加えて、表示のデザインを切り替えるようにしてもよい。
具体的に、図２に示すようなアナログ値表示を、図３に示すようなデジタル値表示に切替えてもよい。
ここで車両における車両情報の表示では、ヘッドライトが消灯されている昼間、車内に差し込む外光によって詳細な表示を見分けることが難しい場合がある。そこでイルミネーション情報に基づいて、昼間は、直感的に車両情報を把握可能なアナログ値表示により車両情報を表示し、夜間は、デジタル値表示として視認性を向上し、さらには表示に供する車両情報の数を増大させることができる。
【００４４】
なおこのような表示のデザインの切り替えにあっては、アナログ値表示、デジタル値表示を維持したまま、文字盤の表示を切り替えてもよく、文字、数字のフォントを切り替えるようにしてもよく、文字の階調を低下させるようにしてもよい。なおこのように文字の階調を低下させる場合には、近年、車両への搭載が増大している液晶表示パネルを使用したマルチ表示画面表示において車両情報を表示する場合に対応するように、車両情報を表現して表示することができる。
【００４５】
図４は、車両情報の表示の切替えに係る制御部９による処理手順を示すフローチャートである。制御部９は、一定の時間間隔によりこの処理手順を繰り返し、データ通信部７で車両情報を取得し、この取得した情報にイルミネーション情報が含まれていない場合、情報携帯端末装置２の設定（例えば自動調光）に基づいて、さらにはこの車両情報表示プログラムによる事前の設定に基づいて、車両情報を表示する（ＳＰ１−ＳＰ２−ＳＰ３−ＳＰ４）。これに対してデータ通信部７で取得した情報にイルミネーション情報が含まれている場合、事前の設定に基づいて、車両情報の表示を切り替える（ＳＰ１−ＳＰ２−ＳＰ５−ＳＰ４）。
【００４６】
なお図５は、図４との対比によりイルミネーション情報による表示切替を実行しない場合の処理手順を示すフローチャートである。この場合、制御部９は、一定の時間間隔によりこの処理手順を繰り返し、データ通信部７で車両情報を取得し、情報携帯端末装置２に設定の設定（例えば自動調光）に基づいて、この車両情報表示プログラムによる事前の設定に基づいて、車両情報を表示する（ＳＰ１０−ＳＰ１１−ＳＰ１２）。
【００４７】
以上の構成によれば、車両から車両情報及びイルミネーション情報を取得して無線通信によるデータ通信により情報携帯端末装置に通知し、情報携帯端末装置において、この車両情報を表示してイルミネーション情報によりこの車両情報の表示を切り替えることにより、車両のインストルメントに設けられている計器類と連動するように情報携帯端末装置における車両情報の表示を切り替えることができ、これにより情報携帯端末装置による車両情報の表示において、従来に比して一段と車両に適した表示を実行することができる。
【００４８】
またこの車両情報の表示の切替えが、コントラストの切り替えであることにより、又は表示色の切り替えであることにより、夜間等における視認性の劣化を防止することができる。
【００４９】
またこの車両情報の表示の切替えが、アナログ値表示による車両情報の表示とデジタル値表示による車両情報の表示との切り替えであることにより、夜間等においてアナログ値表示による車両情報の表示をデジタル値表示による車両情報の表示に切り替えて、夜間等における視認性の劣化を防止することができる。
【００５０】
〔他の実施形態〕
以上、本発明の実施に好適な具体的な構成を詳述したが、本発明は、本発明の趣旨を逸脱しない範囲で、上述の実施形態の構成を種々に変更することができる。
【符号の説明】
【００５１】
１  車両情報表示システム
２  情報携帯端末装置
３  制御コントローラ
４  車両情報取得部
５  データ通信部
６、９  制御部
７  データ通信部
８  表示部
１０  車両
【図１】
2020203552.tif 000003
【図２】
2020203552.tif 000004
【図３】
2020203552.tif 000005
【図４】
2020203552.tif 000006
【図５】
2020203552.tif 000007